(57)【要約】      （修正有）【課題】卓上テーブルで土鍋料理をする際、つい土鍋の中におたまを入れっぱなしになる、その際、よく見られる光景がおたまの横滑りを防止する。【解決手段】土鍋用おたまの柄、中央部に逆Ｕ字状の横滑り防止金具を付け、また、逆Ｕ字状の金具を、おたまの収納する際のフック掛けに使用する。【選択図】図４
0003119289.tif 000002
【実用新案登録請求の範囲】
【請求項１】
土鍋用おたまの柄、中央部に逆Ｕ字状の横滑り防止金具を付けたことを特徴とする。
【請求項２】
逆Ｕ字状の金具を、おたまの収納する際のフック掛けに使用することを特徴とする。
【考案の詳細な説明】
【技術分野】
【０００１】本考案は卓上テーブルにおいて、土鍋料理をする際に用いることを目的とした、横滑り防止付きおたまで、また、収納する際のフック掛けに使用する。
【背景技術】
【０００２】従来、おたまは取手、柄、具受けで構成されている。
【考案が解決しようとする課題】
【０００３】卓上テーブルで土鍋料理をする際、つい土鍋の中におたまを入れぱっなしになる、その際、よく見られる光景がおたまの横滑りである。
【０００４】また、おたま受け器具などがあるが、家族で土鍋を囲む場合におたまが取りにくいなどの問題が起きていた。
【０００５】おたまを収納する際に、収納パネルフックの大、小があるためにおたまが掛からないなどの問題が起きていた。
【課題を克服するための手段】
【０００６】本考案は従来の問題点を克服する為に、おたまの柄、中央部に逆Ｕ字状の金具を付けることで問題を克服する。
【０００７】また、穴あきおたまにも同様に逆Ｕ字状の金具を付けることにより、横滑りを防止する。
【考案の実施形態】
【０００８】考案の実施形態例を、図面で参照して説明する。
【０００９】一般的には、おたま（図１）と穴あきおたま（図２）に別れる。
【００１０】（図３）で示すように逆Ｕ字状の金具を柄の中央部に付けるだけで、横滑りを防止できる。
【００１１】（図５）で示すように逆Ｕ字状の金具を付けることにより、フックに掛けることが容易にできる。
【考案の効果】
【００１２】考案を利用することによって、従来のトラブルであった横滑りの解消とフック掛けが容易になります。
【図面の簡単な説明】
【図１】考案に係る、おたまの姿図である。
【図２】考案に係る、穴あきおたまの姿図である。
【図３】考案に係る、おたまの使用図である。
【図４】考案に係る、逆Ｕ字状金具をリベッターで取り付けをした詳細図である。
【図５】考案に係る、逆Ｕ字状金具をフックに引っかけた図である。
【符合の説明】
１，    取手
２，    柄
３，    具受け
４，    逆Ｕ字金具
５，    穴あき具受け
６，    土鍋
７，    リベッター
８，    フック
【図１】
0003119289.tif 000003
【図２】
0003119289.tif 000004
【図３】
0003119289.tif 000005
【図４】
0003119289.tif 000006
【図５】
0003119289.tif 000007
【手続補正書】
【提出日】平成17年7月19日(2005.7.19)
【手続補正２】
【補正対象書類名】明細書
【補正対象項目名】全文
【補正方法】変更
【補正の内容】
【考案の詳細な説明】
【技術分野】
【０００１】本考案は卓上テーブルにおいて、土鍋料理をする際に用いることを目的とした、横滑り防止付きおたまで。また、収納する際のフック掛けに使用する。
【背景技術】
【０００２】従来、おたまは取手、柄、具受けで構成されている。
【考案が解決しようとする課題】
【０００３】卓上テーブルで土鍋料理をする際、つい土鍋の中におたまを入れぱっなしになる、その際、よく見られる光景がおたまの横滑りである。
【０００４】また、おたま受け器具などがあるが、家族で土鍋を囲む場合におたまが取りにくいなどの問題が起きていた。
【０００５】おたまを収納する際に、収納パネルフックの大、小があるためにおたまが掛からないなどの問題がおきていた。
【課題を克服するための手段】
【０００６】本考案は従来の問題点を克服する為に、おたまの柄、上部に逆Ｕ字状の金具を付けることで問題を克服する。
【０００７】また、穴あきおたまにも同様に逆Ｕ字状の金具を付けることにより、横滑りを防止する。
【考案の実施形態】
【０００８】考案の実施形態例を、図面で参照して説明する。
【０００９】一般的には、おたま（図１）と穴あきおたま（図２）に別れる。
【００１０】（図３）で示すように逆Ｕ字状の金具を柄の上部に付けるだけで、横滑りを防止できる。
【００１１】（図５）で示すように逆Ｕ字状の金具を付けることにより、フックに掛けることが容易にできる。
【００１２】考案を利用することによって、従来のトラブルであった横滑りの解消とフック掛けが容易になります。
【図面の簡単な説明】
【図１】考案に係る、おたまの姿図である。
【図２】考案に係る、穴あきおたまの姿図である。
【図３】考案に係る、おたまの使用図である。
【図４】考案に係る、逆Ｕ字状金具をリベッターで取り付けをした詳細図である。
【図５】考案に係る、逆Ｕ字状金具をフックに引っかけた図である。
【符合の説明】
１，    取手
２，    柄
３，    具受け
４，    逆Ｕ字金具
５，    穴あき具受け
６，    土鍋
７，    リベッター
８，    フック
【手続補正３】
【補正対象書類名】図面
【補正対象項目名】全図
【補正方法】変更
【補正の内容】
【図１】
0003119289.tif 000008
【図２】
0003119289.tif 000009
【図３】
0003119289.tif 000010
【図４】
0003119289.tif 000011
【図５】
0003119289.tif 000012
【手続補正１】
【補正対象書類名】実用新案登録請求の範囲
【補正対象項目名】全文
【補正方法】変更
【補正の内容】
【実用新案登録請求の範囲】
【請求項１】
土鍋用おたまの柄、上部に逆Ｕ字状の横滑り防止金具を付けたことを特徴とする。
【請求項２】
おたまに付いている逆Ｕ字状の金具を、おたまの収納する際のフック掛けに使用することを特徴とする。
【手続補正書】
【提出日】平成17年9月9日(2005.9.9)
【手続補正１】
【補正対象書類名】実用新案登録請求の範囲
【補正対象項目名】全文
【補正方法】変更
【補正の内容】
【実用新案登録請求の範囲】
【請求項１】
鍋料理などに用いる、おたまの柄、上部に逆Ｕ字状の金具が付いたことを特徴とする、横滑り防止付きおたま。
【手続補正２】
【補正対象書類名】明細書
【補正対象項目名】全文
【補正方法】変更
【補正の内容】
【考案の詳細な説明】
【技術分野】
【０００１】本考案は卓上テーブルにおいて、鍋料理をする際に用いることを目的とした、横滑り防止付きおたま。また、収納する際のフック掛けに使用する。
【背景技術】
【０００２】従来、おたまは取手、柄、具受けで構成されている。
【考案が解決しようとする課題】
【０００３】卓上テーブルで鍋料理をする際、つい鍋の中におたまを入れっぱなしになる、その際、よく見られる光景がおたまの横滑りである。
【０００４】また、おたま受け器具などがあるが、家族で鍋料理を囲む場合におたまが取りにくいなどの問題が起きていた。
【０００５】おたまを収納する際に、収納パネルフックの大、小があるためにおたまが掛からないなどの問題が起きていた。
【課題を克服するための手段】
【０００６】本考案は従来の問題点を克服する為に、おたまの柄、上部に逆Ｕ字状の金具を付けることで問題を克服する。
【０００７】また、穴あきおたまにも同様に逆Ｕ字状の金具を付けることにより、横滑りを防止する。
【考案の実施形態】
【０００８】考案の実施形態例を、図面で参照して説明する。
【０００９】一般的には、おたま（図１）と穴あきおたま（図２）に別れる。
【００１０】（図３）で示すように逆Ｕ字状の金具を柄の上部に付けるだけで、横滑りを防止できる。
【００１１】（図５）で示すように逆Ｕ字状の金具を付けることにより、フックに掛けることが容易にできる。
【００１２】考案を利用することによって、従来のトラブルであった横滑りの解消とフック掛けが容易になります。
【図面の簡単な説明】
【図１】考案に係る、おたまの姿図。
【図２】考案に係る、穴あきおたまの姿図。
【図３】考案に係る、おたまの使用図。
【図４】考案に係る、逆Ｕ字状金具をリベッターで取り付けをした詳細図。
【図５】考案に係る、逆Ｕ状金具をフックに引っかけた図。
【図６】考案に係る、逆Ｕ字状金具をおたまに取り付けた正面図。
【符合の説明】
１、    取手
２、    柄
３、    具受け
４、    逆Ｕ字状金具
５、    穴あき具受け
６、    鍋
７、    リベッター
８、    フック
【手続補正３】
【補正対象書類名】図面
【補正対象項目名】図６
【補正方法】追加
【補正の内容】
図６
【図６】
0003119289.tif 000013